(57)【要約】【課題】異なる複数の通信方式を用いて並行して通信を行う場合におけるＳＡＲを低減する無線通信端末装置及び無線通信端末装置制御方法を提供する。【解決手段】無線制御部１１、１２は、異なる複数の通信方式を用いて並行して複数の通信を行う。送信電力検出部２１３、２２３は、無線制御部１１、１２による各通信方式を用いた通信における送信電力を検出する。送信電力管理部３は、送信電力検出部２１３、２２３が検出した送信電力を基に、各通信による比吸収率の合計を求め、求めた比吸収率の合計が所定の基準値を超える場合、前記複数の通信方式を用いた通信それぞれが重ならないように時分割して通信を行うようにプロトコル制御部２１４、２２４に指示する。【選択図】図１
2013143575.tif 000002
【特許請求の範囲】
【請求項１】
異なる複数の通信方式を用いて並行して複数の通信を行う無線通信部と、
前記無線通信部による各通信方式を用いた通信における送信電力を検出する送信電力検出部と、
前記送信電力検出部が検出した送信電力を基に、各通信による比吸収率の合計を求め、求めた比吸収率の合計が所定の基準値を超える場合、前記複数の通信方式を用いた通信それぞれが重ならないように時分割して通信を行うように前記無線通信部を制御する制御部と
を備えたことを特徴とする無線通信端末装置。
【請求項２】
前記制御部は、前記異なる複数の通信方式を用いた通信の中に音声通話を行う通信がある場合には、音声通話を行う通信に割り当てる時間を他の通信に割り当てる時間よりも長くして時分割を行うことを特徴とする請求項１に記載の無線通信端末装置。
【請求項３】
前記制御部は、音声通話を行う通信において音声を送信していない期間を検出し、検出した期間において他の通信を行うことを特徴とする請求項２に記載の無線通信端末装置。
【請求項４】
前記制御部は、前記異なる複数の通信方式を用いた通信の中に一連のデータを連続して提供する通信がある場合には、一連のデータを連続して提供する通信に割り当てる時間を他の通信に割り当てる時間よりも長くして時分割することを特徴とする請求項１に記載の無線通信端末装置。
【請求項５】
前記制御部は、前記異なる複数の通信方式を用いた通信の中で最も電波環境が良い通信に割り当てる時間を他の通信に割り当てる時間よりも長くして時分割することを特徴とする請求項１に記載の無線通信端末装置。
【請求項６】
前記制御部は、時分割して通信を行うように前記無線通信部を制御している状態で、休止している通信で用いられる予定の予測送信電力を求め、前記予測送信電力及び前記送信電力検出部が検出した実際に通信を行っている通信における送信電力を基に、各通信を並行して行った場合における比吸収率の合計を求め、求めた比吸収率の合計が所定の基準値以内になった場合、時分割を解除し各通信を並行して行うように前記無線通信部を制御することを特徴とする請求項１〜５のいずれか一つに記載の無線通信端末装置。
【請求項７】
異なる複数の通信方式を用いて並行して複数の通信を行い、
前記各通信における送信電力を検出し、
検出した送信電力を基に、前記各通信による比吸収率の合計を求め、
求めた比吸収率の合計が所定の基準値を上回る場合、前記複数の通信方式を用いた通信それぞれが重ならないように時分割して通信を行う
ことを特徴とする無線通信端末装置制御方法。
【発明の詳細な説明】
【技術分野】
【０００１】
本発明は、無線通信端末装置及び無線通信端末装置制御方法に関する。
【背景技術】
【０００２】
近年、無線通信において様々な通信方式が提案されている。例えば、携帯電話装置において用いられる通信方式としては、ＣＤＭＡ（Code  Division  Multiple  Access）やＬＴＥ（Long  Term  Evolution）などが知られている。以下では、それぞれをＣＤＭＡ方式及びＬＴＥ方式と呼ぶ。その他にも携帯電話装置では、固定無線通信の標準規格（ＷｉＭＡＸ（登録商標）：Worldwide  Interoperability  for  Microwave  Access）や無線ＬＡＮの標準規格（ＷｉＦｉ（登録商標）：Wireless  Fidelity）により規定された通信方式などが用いられる。以下では、それぞれをＷｉＭＡＸ方式及びＷｉＦｉ方式と呼ぶ。このように、様々な通信方式を用いた通信が行える無線通信端末装置の場合、複数の異なる通信方式を用いた通信が並行して行われることが考えられる。
【０００３】
また、無線通信端末装置を用いて通信を行う場合、無線通信端末装置から電磁波が発生することが知られている。無線通信端末から発生する電磁波は人体に影響を及ぼす可能性がある。そこで、無線通信端末装置から出力された電磁波の影響を人体が一定時間にどのくらい受けたかを表す基準として、人体に吸収されるエネルギー量を表すＳＡＲ（Specific  Absorption  Rate：比吸収率）が用いられる。そして現在、人体に許容される電磁波の基準値が設けられている。具体的には、許容される電磁波の基準値として、ＳＡＲが２Ｗ／ｋｇを超えないというＳＡＲの規格が設けられている。
【０００４】
無線通信装置から発生する電磁波への対策として、次のような従来技術が提案されている。例えば、アンテナの角度を調整してＳＡＲの値を下げる従来技術がある。また、音声通話時には指向性アンテナを使用し、待受け時には無指向性アンテナを使用する従来技術がある。また、アンテナと頭部とが近い場合に影響が少ない指向特性のアンテナに切り替える従来技術がある。また、人体との距離に応じて送信電力を変化させる従来技術がある。また、音声通話の場合とデータ通信の場合とで送信電力を切り替えて、音声通話の場合には省電力にする従来技術がある。
【先行技術文献】
【特許文献】
【０００５】
【特許文献１】特開２００５−１０２２０５号公報
【特許文献２】特開２００５−２１７８３６号公報
【特許文献３】特開２００５−２８６７４１号公報
【特許文献４】特開２００５−２８６６２７号公報
【特許文献５】特開２００７−１４２８３０号公報
【特許文献６】特開２００１−２９２０６７号公報
【発明の概要】
【発明が解決しようとする課題】
【０００６】
しかしながら、複数の異なる通信方式を用いた通信を並行して行った場合、各通信方式の通信により発生する電磁波それぞれはＳＡＲの規格以内であっても、無線通信端末装置から発生した電磁波の合計により、ＳＡＲの規格に抵触してしまうおそれがある。例えば、ＷＬＡＮやＢｌｏｕｅｔｏｏｔｈ（登録商標）などの近距離無線通信は、送信パワーが弱いため、ＳＡＲへの影響は少ない。これに対して、ＷｉＭＡＸ方式やＬＴＥ方式などを用いたデータ通信は、送信パワーが大きくＳＡＲへの影響が大きい。そこで、ＣＤＭＡ方式を用いて音声通話を行ないながら、ＷｉＭＡＸ方式やＬＴＥ方式などを用いてデータ通信を行った場合、それぞれの通信方式を用いた通信による電磁波の影響により、全体としてＳＡＲの合計を基準値内に収めることが困難である。
【０００７】
また、上述した無線通信装置から発生する電磁波への対策のための従来技術は、いずれも１つの通信方式を用いた通信を行う場合におけるＳＡＲの低減を目的としており、異なる複数の通信方式を用いて並行して複数の通信を行う場合を想定していない。そのため、異なる通信方式を用いて並行して通信を行った場合に、全体としてＳＡＲの合計を基準値内に収めることが困難である。
【０００８】
開示の技術は、上記に鑑みてなされたものであって、異なる複数の通信方式を用いて並行して通信を行う場合におけるＳＡＲを低減する無線通信端末装置及び無線通信端末装置制御方法を提供することを目的とする。
【課題を解決するための手段】
【０００９】
本願の開示する無線通信端末装置及び無線通信端末装置制御方法は、一つの態様において、無線通信部は、異なる複数の通信方式を用いて並行して複数の通信を行う。送信電力検出部は、前記無線通信部による各通信方式を用いた通信における送信電力を検出する。制御部は、前記送信電力検出部が検出した送信電力を基に、各通信による比吸収率の合計を求め、求めた比吸収率の合計が所定の基準値を超える場合、前記複数の通信方式を用いた通信それぞれが重ならないように時分割して通信を行うように前記無線通信部を制御する。
【発明の効果】
【００１０】
本願の開示する無線通信端末装置及び無線通信端末装置制御方法の一つの態様によれば、異なる複数の通信方式を用いて並行して通信を行う場合におけるＳＡＲを低減することができるという効果を奏する。
【図面の簡単な説明】
【００１１】
【図１】図１は、実施例１に係る携帯電話装置のブロック図である。
【図２】図２は、送信電力及びＳＡＲの相関関係を表す図である。
【図３】図３は、実施例１における時分割通信を行う場合の送信電力の変化を説明するための図である。
【図４】図４は、実施例１に係る携帯電話装置による時分割通信のシーケンス図である。
【図５】図５は、実施例１に係る携帯電話装置における通信制御のフローチャートである。
【図６】図６は、実施例２における時分割通信を行う場合の送信電力の変化を説明するための図である。
【図７】図７は、変形例１における時分割通信を行う場合の送信電力の変化を説明するための図である。
【図８】図８は、変形例２における時分割通信を行う場合の送信電力の変化を説明するための図である。
【図９】図９は、時分割通信における割り当て時間の制御を組み合わせた場合の処理の一例を示すフローチャートである。
【図１０】図１０は、携帯電話装置のハードウェア構成図である。
【発明を実施するための形態】
【００１２】
以下に、本願の開示する無線通信端末装置及び無線通信端末装置制御方法の実施例を図面に基づいて詳細に説明する。なお、以下の実施例により本願の開示する無線通信端末装置及び無線通信端末装置制御方法が限定されるものではない。特に、以下では、無線通信端末装置として携帯電話装置を例に説明するが、無線通信端末装置はこれに限らず、複数の通信方式を用いて並行して複数の通信を行うものであればよい。
【実施例１】
【００１３】
図１は、実施例１に係る携帯電話装置のブロック図である。図１に示すように、本実施例に係る携帯電話装置は、無線制御部１１、１２、ＣＤＭＡシステム制御部２１、ＷｉＭＡＸシステム制御部２２、送信電力管理部３、アプリケーション実行部４及びユーザインタフェース５を有している。
【００１４】
無線制御部１１は、ベースバンド信号であるデータの入力をモデム部２１１から受ける。そして、無線制御部１１は、受信したデータに対して周波数変換などを行い、無線信号のデータを生成する。そして、無線制御部１１は、ＣＤＭＡ方式による通信を用いて、無線信号のデータを基地局などの外部装置に向けて送信する。以下では、ＣＤＭＡ方式による無線信号を「ＣＤＭＡ信号」と呼ぶ。
【００１５】
また、無線制御部１１は、アンテナを介して基地局からＣＤＭＡ信号を受信する。無線制御部１１は、受信したＣＤＭＡ信号に対してベースバンド帯域への周波数変換を行い、ベースバンド信号を生成する。無線制御部１１は、ベースバンド信号となったＣＤＭＡ信号をモデム部２１１へ出力する。
【００１６】
無線制御部１２は、無線制御部１１とほぼ同様であるので、説明を省略する。ただし、無線制御部１２は、ＷｉＭＡＸ方式を用いてデータの送信を行う。
【００１７】
ＣＤＭＡシステム制御部２１は、モデム部２１１、送信電力検出部２１３及びプロトコル制御部２１４を有している。
【００１８】
モデム部２１１は、送信するデータと共にデータ送信の指示をプロトコル制御部２１４から受ける。モデム部２１１は、ベースバンド信号となったＣＤＭＡ信号に対して復調処理及び復号化処理などを施す。そして、モデム部２１１は、復調処理及び復号処理を施したＣＤＭＡ信号をプロトコル制御部２１４へ出力する。
【００１９】
また、モデム部２１１は、基地局などの外部装置に向けて送信するデータのベースバンド信号の入力をプロトコル制御部２１４から受ける。そして、モデム部２１１は、受信したベースバンド信号に対して符号化処理及び変調処理などを施す。その後、モデム部２１１は、符号化処理及び変調処理を施したベースバンド信号を無線制御部１１へ出力する。
【００２０】
送信電力検出部２１３は、無線制御部１１がデータ送信に用いた送信電力を検出する。そして、送信電力検出部２１３は、検出した送信電力を送信電力管理部３へ出力する。
【００２１】
プロトコル制御部２１４は、ＣＤＭＡ方式を用いた通信における発呼やハンドオーバの処理を行う。また、プロトコル制御部２１４は、音声データなどのデータの入力をアプリケーション実行部４から受ける。そして、プロトコル制御部２１４は、受信したデータをモデム部２１１へ出力する。さらに、プロトコル制御部２１４は、ＳＡＲ値の合計が基準値を超えた場合、送信電力の制御の指示を送信電力管理部３から受ける。本実施例では、プロトコル制御部２１４は、通信の中断及び再開の指示、すなわち時分割した通信の指示を送信電力管理部３から受信する。そして、プロトコル制御部２１４は、送信電力管理部３からの指示に従いＣＤＭＡ方式を用いた通信の実行指示をモデム部２１１へ出力する。具体的には、プロトコル制御部２１４は、通信の中断指示を受けると、次に通信の開始指示を受けるまでモデム部２１１への通信の実行指示を停止し、その後、通信の開始指示を受けると、モデム部２１１に対して通信の実行指示を出力する。
【００２２】
また、プロトコル制御部２１４は、通信の中断指示を受けている間、通信対象である外部装置との間のＲＳＳＩを検出する。そして、プロトコル制御部２１４は、検出したＲＳＳＩを送信電力管理部３へ出力する。
【００２３】
ＷｉＭＡＸシステム制御部２２は、モデム部２２１、送信電力検出部２２３及びプロトコル制御部２２４を有している。ＷｉＭＡＸシステム制御部２２の各部は、通信方式としてＷｉＭＡＸを用いてＣＤＭＡシステム制御部２１の各部と同様の動作を行う。そこで、ＷｉＭＡＸシステム制御部２２の動作については説明を省略する。
【００２４】
送信電力管理部３は、例えば、ＳＡＲ基準値及び送信電力及びＳＡＲの相関情報を記憶している。ＳＡＲ基準値は、携帯電話装置から発生する電磁波によるＳＡＲ値の上限値である。ＳＡＲ基準値は、例えば、本実施例では、法定規格である２．０Ｗ／ｋｇなどと決められる。送信電力及びＳＡＲの相関情報は、例えば、図２に示すような相関関係を表すグラフなどである。図２は、送信電力及びＳＡＲの相関関係を表す図である。図２は、縦軸がＳＡＲ値を表し、横軸が送信電力を表している。図２におけるグラフ６１は、ＣＤＭＡ方式における送信電力及びＳＡＲの相関関係を表している。また、グラフ６２は、ＷｉＭＡＸ方式における送信電力及びＳＡＲの相関関係を表している。図２に示すように、グラフ６１及び６２のいずれにおいても、送信電力の上昇に比例してＳＡＲ値も上昇する。また、ＣＤＭＡ方式の方が、ＷｉＭＡＸ方式よりもＳＡＲ値が大きい。ここで、本実施例では、送信電力及びＳＡＲの相関情報として相関関係を表すグラフを用いているが、これはテーブルや関係式など、送信電力からＳＡＲ値が求められるものであれば他のものでも良い。
【００２５】
また、送信電力管理部３は、タイマを有している。さらに、送信電力管理部３は、時分割通信を行っていない場合のＳＡＲ検出周期、及び時分割通信を行っている場合のＳＡＲ検出周期を記憶している。そして、送信電力管理部３は、自己のタイマを用いて時間を計測し、時分割通信を行っていない場合のＳＡＲ検出周期で、ＣＤＭＡ方式の通信の送信電力の値を送信電力検出部２１３から受信する。さらに、送信電力管理部３は、同じタイミングで、ＷｉＭＡＸ方式の通信の送信電力の値を送信電力検出部２２３から受信する。
【００２６】
そして、送信電力管理部３は、送信電力検出部２１３から受信した送信電力に対応するＳＡＲ値を送信電力及びＳＡＲの相関情報から取得する。また、送信電力管理部３は、送信電力検出部２２３から受信した送信電力に対応するＳＡＲ値を送信電力及びＳＡＲの相関情報から取得する。さらに、送信電力管理部３は、取得したＳＡＲ値の合計を算出する。そして、送信電力管理部３は、算出したＳＡＲ値の合計がＳＡＲ基準値を超えているか否かを判定する。送信電力管理部３は、ＳＡＲ値の合計がＳＡＲ基準値を超えている場合、ＣＤＭＡ方式の通信及びＷｉＭＡＸ方式の通信を時分割で行うことを決定する。本実施例では、送信電力管理部３は、ＣＤＭＡ方式の通信及びＷｉＭＡＸ方式の通信のいずれも等分で時分割を行うように決定する。すなわち、本実施例では、送信電力管理部３は、ＣＤＭＡ方式の通信とＷｉＭＡＸ方式の通信を所定期間ずつ繰り返すように決定する。その後、送信電力管理部３は、ＣＤＭＡ方式の通信のタイミング及びＷｉＭＡＸ方式の通信のタイミングを決定する。そして、送信電力管理部３は、ＣＤＭＡ方式の通信開始のタイミングでプロトコル制御部２１４に通信再開を指示し、プロトコル制御部２２４に通信中断を指示する。また、ＷｉＭＡＸ方式の通信開始のタイミングで、送信電力管理部３は、プロトコル制御部２２４に通信再開を指示し、プロトコル制御部２１４に通信中断を指示する。これに対して、ＳＡＲ値の合計がＳＡＲ基準値を超えていない場合には、そのままＳＡＲの監視を続ける。
【００２７】
さらに、送信電力管理部３は、時分割の通信を開始した後、自己のタイマを用いて時間を計測し、時分割通信を行っている場合のＳＡＲ検出周期で、ＳＡＲ値の合計値の算出を行う。ただし、時分割中は、ＣＤＭＡ方式又はＷｉＭＡＸ方式どちらか一方の通信のみが行われ、他方の通信方式による通信は実際には中断している状態である。そこで、送信電力管理部３は、プロトコル制御部２１４及び２２４の通信が中断している側からＲＳＳＩ（Received  Signal  Strength  Indication）を取得する。そして、送信電力管理部３は、受信したＲＳＳＩから送信電力の予想値、すなわち、もしそのタイミングで通信を行ったならばどの程度の送信電力を使用するかを表す値を取得する。ここで、ＲＳＳＩから送信電力を求めるには、送信電力管理部３は、ＲＳＳＩと送信電力との対応を表すテーブルを保持しておきそこから受信したＲＳＳＩに対応する送信電力を取得しても良いし、ＲＳＳＩから送信電力を求める式を用いて算出してもよい。そして、送信電力管理部３は、通信が中断している側の送信電力の予想値に対応するＳＡＲ値を、送信電力及びＳＡＲの相関情報から取得する。また、送信電力管理部３は、通信を行っている通信方式における送信電力を、送信電力検出部２１３及び２２３のうち通信を行っている側から取得する。そして、送信電力管理部３は、通信を行っている側の通信方式の送信電力に対応するＳＡＲ値を、送信電力及びＳＡＲの相関情報から取得する。その後、送信電力管理部３は、通信が中断している側の送信電力の予想値に対応するＳＡＲ値及び通信を行っている側の通信方式の送信電力に対応するＳＡＲ値の合計（以下では、「ＳＡＲ値の合計の予想値」という場合がある。）を算出する。そして、送信電力管理部３は、ＳＡＲ値の合計の予想値がＳＡＲ基準値以内か否かを判定する。ＳＡＲ値の合計の予想値がＳＡＲ基準値以内であれば、送信電力管理部３は、時分割した通信を解除し、ＣＤＭＡ方式の通信及びＷｉＭＡＸ方式の通信の双方を並行して行うように、プロトコル制御部２１４及び２２４に指示する。これに対して、ＳＡＲ値の合計の予想値がＳＡＲ基準値を超えていれば、送信電力管理部３は、時分割した通信を継続する。
【００２８】
アプリケーション実行部４は、ユーザインタフェース５からのアプリケーション開始指示などを受けて、各種アプリケーションを実行する。また、アプリケーション実行部４は、アプリケーションで用いられるデータの入力をユーザインタフェース５から受ける。
【００２９】
また、アプリケーション実行部４は、実行しているアプリケーションが外部装置との通信を行う場合、そのアプリケーションが使用する通信方式を用いた通信を行うプロトコル制御部２１４に通信の実行を指示する。例えば、ＷｉＭＡＸを用いてデータの送受信を行うアプリケーションの場合、アプリケーション実行部４は、そのアプリケーションがデータの送信を行う場合には、プロトコル制御部２２４に対してデータの送信を指示する。
【００３０】
さらに、アプリケーション実行部４は、アプリケーションの実行などによる出力データをユーザインタフェース５へ出力する。
【００３１】
ユーザインタフェース５は、液晶画面、キーパッド、マイク及びスピーカなどを有している。携帯電話装置の利用者（以下では、「操作者」という。）は、ユーザインタフェース５を用いてデータの取得及び入力などを行う。例えば、操作者は、液晶画面を参照しながらキーパッドを用いた情報の入力や、マイク及びスピーカを用いた音声通話などを行う。ユーザインタフェース５から入力されたデータは、アプリケーション実行部４へ出力される。また、アプリケーション実行部４が出力したデータは、ユーザインタフェース５により操作者へ提供される。
【００３２】
次に、図３を参照して、本実施例に係る携帯電話装置における時分割通信時における送信電力の変化について説明する。図３は、実施例１における時分割通信を行う場合の送信電力の変化を説明するための図である。図３のグラフ６０１は、ＣＤＭＡ方式における送信電力の経時的な変化を表している。また、図３のグラフ６０２は、ＷｉＭＡＸ方式における送信電力の経時的な変化を表している。グラフ６０１及びグラフ６０２は、いずれも縦軸を送信電力とし横軸を時間としている。
【００３３】
グラフ６０１及び６０２に示すように、本実施例に係る携帯電話装置は、最初はＣＤＭＡ方式の通信とＷｉＭＡＸ方式の通信とを並行して行っている。そして、タイミング６０３で、送信電力管理部３が、ＳＡＲ値の合計がＳＡＲ基準値を超えたと判定する。その場合、送信電力管理部３は、ＣＤＭＡ方式の通信とＷｉＭＡＸ方式の通信を所定期間ずつ繰り返す時分割通信を開始する。時分割通信の間は、ＣＤＭＡ方式の通信とＷｉＭＡＸ方式通信が重ならない。すなわち、送信電力６０５及び送信電力６０６のように、ＣＤＭＡ方式の通信による送信電力の発生とＷｉＭＡＸ方式の通信による送信電力の発生とが重ならなくなる。そして、本実施例に係る携帯電話では、いずれか一つの通信方式のみの通信であれば、その通信で発生するＳＡＲ値はＳＡＲ基準値内に収まるようになっている。そのため、時分割通信においては、ＣＤＭＡ方式の通信によるＳＡＲ値とＷｉＭＡＸ方式の通信によるＳＡＲ値との合計は、ＳＡＲ基準値内に収まる。
【００３４】
さらに、時分割通信を行っている間、送信電力管理部３は、通信が中断している側の送信電力の予想値に対応するＳＡＲ値及び通信を行っている側の通信方式の送信電力に対応するＳＡＲ値の合計、すなわちＳＡＲ値の合計の予想値を算出する。例えば、送信電力６０５のタイミングでは、送信電力管理部３は、送信電力６０５に対応するＳＡＲ値とそのタイミングでのＷｉＭＡＸ方式の通信における送信電力の予想値に対応するＳＡＲ値との合計を算出する。そして、送信電力管理部３は、ＳＡＲ値の合計の予想値がＳＡＲ基準値を下回ると、時分割通信を解除する。図３は、ＷｉＭＡＸ方式において送信電力６０７が発生した時点で、ＳＡＲ値の合計の予想値がＳＡＲ基準値を下回ったとする。この場合、送信電力管理部３は、タイミング６０４で時分割通信を解除してＣＤＭＡ方式とＷｉＭＡＸ方式との通信を並行して行うようにプロトコル制御部２１４及び２２４に指示する。タイミング６０４では、既にＣＤＭＡ方式の通信での送信電力が低くなっているので、ＳＡＲ値の合計は、ＳＡＲ基準値以下となっている。この場合、期間６０８が時分割通信を行なっている期間となる。
【００３５】
次に、図４を参照して、本実施例に係る携帯電話装置における時分割通信を行う場合のデータの流れについて説明する。図４は、実施例１に係る携帯電話装置による時分割通信のシーケンス図である。
【００３６】
各縦軸は上部に記された各部及び外部装置における処理を表しており、矢印が外に他の軸に向かう場合はデータの送信を表し、矢印が向かっている場合にはデータの受信を表している。
【００３７】
ＣＤＭＡシステム制御部２１が、無線制御部１１を介して、ＣＤＭＡ基地局に対して通信開始を通知する（ステップＳ１）。これにより、携帯電話装置とＣＤＭＡ基地局との間でＣＤＭＡ方式を用いた通信が開始される。通信中に、ＣＤＭＡシステム制御部２１は、送信電力を送信電力管理部３へ通知する（ステップＳ２）。
【００３８】
次に、ＷｉＭＡＸシステム制御部２２が、無線制御部１２を介して、ＷｉＭＡＸ基地局に対して通信開始を通知する（ステップＳ３）。これにより、携帯電話装置とＷｉＭＡＸ基地局との間でＷｉＭＡＸ方式を用いた通信が開始される。この時、携帯電話装置は、ＣＤＭＡ方式の通信とＷｉＭＡＸ方式の通信とを並行して行なっている。通信中に、ＷｉＭＡＸシステム制御部２２は、送信電力を送信電力管理部３へ通知する（ステップＳ４）。
【００３９】
その後、送信電力管理部３は、各送信電力から求めたＳＡＲ値の合計がＳＡＲ基準値を超えたと判定する（ステップＳ５）。そして、送信電力管理部３は、ＣＤＭＡ方式の通信を中断するように、ＣＤＭＡシステム制御部２１へ指示する（ステップＳ６）。これを受けて、ＣＤＭＡシステム制御部２１は、通信を中断すると共に、ＣＤＭＡ基地局に対して通信の中断を通知する（ステップＳ７）。これにより、ＣＤＭＡ基地局も通信を中断する。この時点から、時分割通信が開始する。本実施例では、時分割された最初の通信をＷｉＭＡＸ方式の通信で行い、その後、順にＣＤＭＡ方式とＷｉＭＡＸ方式の通信を交互に繰り返していく場合で説明する。
【００４０】
そして、ＣＤＭＡシステム制御部２１は、時分割通信における通信中断期間においてＲＳＳＩを送信電力管理部３へ通知する（ステップＳ８）。送信電力管理部３は、ＲＳＳＩからＣＤＭＡ方式の通信における送信電力の予測値を求める。また、ＷｉＭＡＸシステム制御部２２は、実際の送信電力を送信電力管理部３へ通知する（ステップＳ９）。そして、送信電力管理部３は、送信電力の予測値からＣＤＭＡ方式の通信でのＳＡＲ値を求め、ＷｉＭＡＸ方式の通信における送信電力からＷｉＭＡＸ方式の通信でのＳＡＲ値を求める。そして、送信電力管理部３は、ＳＡＲ値の合計の予想値を求め、求めたＳＡＲ値の合計の予想値がＳＡＲ基準値を超えていると判定する（ステップＳ１０）。
【００４１】
次に、送信電力管理部３は、ＷｉＭＡＸ方式の通信を中断するように、ＷｉＭＡＸシステム制御部２２へ指示する（ステップＳ１１）。これを受けて、ＷｉＭＡＸシステム制御部２２は、通信を中断すると共に、ＷｉＭＡＸ基地局に対して通信の中断を通知する（ステップＳ１２）。これにより、ＣＤＭＡ基地局も通信を中断する。さらに、送信電力管理部３は、ＣＤＭＡ方式の通信の再開をＣＤＭＡシステム制御部２１へ通知する（ステップＳ１３）。これを受けて、ＣＤＭＡシステム制御部２１は、ＣＤＭＡ基地局に対して通信の再開を通知する（ステップＳ１４）。これにより、携帯電話装置とＣＤＭＡ基地局装置との間の通信が再開される。
【００４２】
そして、ＷｉＭＡＸシステム制御部２２は、時分割通信における通信中断期間においてＲＳＳＩを送信電力管理部３へ通知する（ステップＳ１５）。送信電力管理部３は、ＲＳＳＩからＷｉＭＡＸ方式の通信における送信電力の予測値を求める。また、ＣＤＭＡシステム制御部２１は、実際の送信電力を送信電力管理部３へ通知する（ステップＳ１６）。そして、送信電力管理部３は、送信電力の予測値からＷｉＭＡＸ方式の通信でのＳＡＲ値を求め、ＣＤＭＡ方式の通信における送信電力からＣＤＭＡ方式の通信でのＳＡＲ値を求める。そして、送信電力管理部３は、ＳＡＲ値の合計の予想値を求め、求めたＳＡＲ値の合計の予想値がＳＡＲ基準値以内であると判定する（ステップＳ１７）。
【００４３】
送信電力管理部３は、ＷｉＭＡＸ方式の通信の再開をＷｉＭＡＸシステム制御部２２へ通知する（ステップＳ１８）。これを受けて、ＷｉＭＡＸシステム制御部２２は、ＷｉＭＡＸ基地局に対して通信の再開を通知する（ステップＳ１９）。これにより、携帯電話装置とＷｉＭＡＸ基地局装置との間の通信が再開される。これ以降、携帯電話装置は、再度ＣＤＭＡ方式の通信とＷｉＭＡＸ方式の通信とを並行して行なうようになる。
【００４４】
ここで、図４に示す処理の中では、期間Ｐが時分割通信を行っている期間であり、それ以外の期間の通信はＣＤＭＡ方式及びＷｉＭＡＸ方式の通信を並行して行っている。
【００４５】
次に、図５を参照して、本実施例に係る携帯電話装置における通信の制御の流れについて説明する。図５は、実施例１に係る携帯電話装置における通信の制御のフローチャートである。図５のフローは、既にＣＤＭＡ方式及びＷｉＭＡＸ方式の通信を並行して行っている状態からスタートする。
【００４６】
送信電力管理部３は、時分割通信を行っていない場合のＳＡＲ検出周期で、各通信方式における送信電力を送信電力検出部２１３及び２２３から取得する（ステップＳ１０１）。そして、送信電力管理部３は、それぞれの通信方式に対応するＳＡＲ値を送信電力及びＳＡＲ値の相関情報から通信方式毎に取得する（ステップＳ１０２）。
【００４７】
次に、送信電力管理部３は、それぞれの通信方式に対応するＳＡＲ値の合計を算出する（ステップＳ１０３）。
【００４８】
送信電力管理部３は、ＳＡＲ値の合計がＳＡＲ基準値以内か否かを判定する（ステップＳ１０４）。ＳＡＲ基準値以内の場合（ステップＳ１０４：肯定）、処理はステップＳ１１１に進む。
【００４９】
これに対して、ＳＡＲ基準値を超えている場合（ステップＳ１０４：否定）、送信電力管理部３は、通信の中断及び再開をプロトコル制御部２１４及び２２４に通知することで、時分割通信を実施する（ステップＳ１０５）。
【００５０】
また、送信電力管理部３は、時分割通信を行っている場合のＳＡＲ検出周期を計測するためタイマを再スタートする（ステップＳ１０６）。
【００５１】
送信電力管理部３は、時分割通信を行っている場合のＳＡＲ検出周期で、プロトコル制御部２１４又は２２４の内通信が中断している側からＲＳＳＩを取得する。そして、送信電力管理部３は、取得したＲＳＳＩから送信電力の予測値を求める（ステップＳ１０７）。
【００５２】
さらに、送信電力管理部３は、通信を行っている通信方式における送信電力を取得する。そして、送信電力管理部３は、通信を行っている通信方式の送信電力に対応するＳＡＲ値及び送信電力の予測値に対応するＳＡＲ値を算出する。そして、送信電力管理部３は、ＳＡＲ値の合計の予想値を求める（ステップＳ１０８）。
【００５３】
次に、送信電力管理部３は、求めたＳＡＲ値の合計の予想値がＳＡＲ基準値以内か否かを判定する（ステップＳ１０９）。ＳＡＲ値の合計の予想値がＳＡＲ基準値を超えている場合（ステップＳ１０９：否定）、処理はステップＳ１１１に進む。
【００５４】
これに対して、ＳＡＲ値の合計の予想値がＳＡＲ基準値以内の場合（ステップＳ１０９：肯定）、送信電力管理部３は、プロトコル制御部２１４又は２２４のうち通信が中断している側に通信の再開を通知することで、時分割通信を終了する（ステップＳ１１０）。
【００５５】
そして、送信電力管理部３は、通信が終了したか否かを判定する（ステップＳ１１１）。通信が終了していない場合（ステップＳ１１１：否定）、送信電力管理部３は、時分割通信を行っているか否かを判定する（ステップＳ１１２）。時分割通信を行っていない場合（ステップＳ１１２：否定）、送信電力管理部３は、ステップＳ１０１に戻る。これに対して、時分割通信を行っている場合（ステップＳ１１２：肯定）、送信電力管理部３は、ステップＳ１０７に戻る。
【００５６】
一方、通信が終了した場合（ステップＳ１１１：肯定）、送信電力管理部３は、ＳＡＲ値を用いた通信制御を終了する。
【００５７】
以上に説明したように、本実施例に係る無線通信端末装置は、ＳＡＲが所定の基準値を超えた場合に、各通信方式の通信を時分割して通信を行う。これにより、各通信方式の通信によるＳＡＲちの合計を抑えて法定規格内に収めることができ、人体への影響を軽減することができる。また、時分割通信では、いずれの通信方式においても通信状態に応じた送信電力を用いて通信を行うため、送信電力を低下させる場合に比べて再送の発生を軽減することができる。
【実施例２】
【００５８】
次に、実施例２について説明する。本実施例に係る無線通信端末装置は、時分割において各通信方式に割り当てる長さを、各通信の状態に応じて異ならせることが実施例１と異なるものである。本実施例に係る携帯電話装置の機能ブロックも図１で表される。本実施例に係る携帯電話装置において、実施例１と同様の符号を有する各部は、特に説明の無い限り同様の機能を有するものとする。以下の説明では、実施例１で説明した機能については説明を省略する。
【００５９】
送信電力管理部３は、各通信方式の送信電力を送信電力検出部２１３及び２２３から取得する。そして、送信電力管理部３は、取得した送信電力からＳＡＲ値を求めた後、ＳＡＲ値の合計を算出する。送信電力管理部３は、ＳＡＲ値の合計がＳＡＲ基準値以内か否かを判定する。
【００６０】
ＳＡＲ値の合計がＳＡＲ基準値を超えている場合、送信電力管理部３は、各通信方式において行なわれている通信が音声通話か否かの情報をプロトコル制御部２１４及び２２４から取得する。ここで、プロトコル制御部２１４及び２２４は、どのようなアプリケーションが実行されているかの情報をアプリケーション実行部４から取得するので、現在行われている通信が音声通話か否かを把握することができる。
【００６１】
そして、音声通話が行われている通信方式があった場合、送信電力管理部３は、音声通話を行っている通信方式の時分割通信における割り当て時間が、他の通信方式の割り当て時間より長くなるように、各通信方式の通信のタイミングを決定する。例えば、ＣＤＭＡ方式を用いて音声通話を行っており、ＷｉＭＡＸ方式では音声通話以外の通信を行なっている場合、送信電力管理部３は、ＣＤＭＡ方式の通信の割り当て時間をＷｉＭＡＸ方式の通信の割り当て時間よりも長くする。以下では、ＣＤＭＡ方式の音声通話が行われている場合で説明する。
【００６２】
そして、送信電力管理部３は、決定したタイミングで各通信方式による通信が行われるように、通信の中断及び再開の指示をプロトコル制御部２１４及び２２４に対して通知する。これにより、無線制御部１１及び１２、ＣＤＭＡシステム制御部２１、並びにＷｉＭＡＸシステム制御部２２は、音声通話の割り当て時間を長くした時分割通信を行うことになる。
【００６３】
さらに、送信電力管理部３は、時分割通信においてＣＤＭＡ方式の通信に割り当てた通信時間中に、音声通話におけるデータ送受信の情報をプロトコル制御部２１４から取得する。そして、送信電力管理部３は、音声通話におけるデータ送受信の状態により音声通話が途切れたか否かを判定する。例えば、送信電力管理部３は、音声通話におけるデータの送受信が一定期間行われなかった場合に、音声通話が途切れたと判定する。そして、音声通話が途切れた場合、送信電力管理部３は、ＷｉＭＡＸ方式の通信の再開をプロトコル制御部２２４に通知する。その後、送信電力管理部３は、プロトコル制御部２１４から取得する音声通話におけるデータ送受信の情報の監視を続け、音声通話におけるデータの送受信が再開されると、ＷｉＭＡＸ方式の通信の中断をプロトコル制御部２２４に指示する。これにより、ＷｉＭＡＸシステム制御部２２及び無線制御部１２は、音声通話が途切れている間にＷｉＭＡＸ方式の通信を行うことができる。
【００６４】
この後、送信電力管理部３は、音声通話の割り当て時間を長くした時分割通信を行っている場合の予め決められたＳＡＲ検出周期で、ＳＡＲ値の合計の予想値がＳＡＲ基準値以内か否かを判定する。そして、ＳＡＲ値の合計の予想値がＳＡＲ基準値以内であれば、送信電力管理部３は、時分割通信を解除する。
【００６５】
次に、図６を参照して、本実施例に係る携帯電話装置における時分割通信時における送信電力の変化について説明する。図６は、実施例２における時分割通信を行う場合の送信電力の変化を説明するための図である。図６のグラフ６１１は、ＣＤＭＡ方式における送信電力の経時的な変化を表している。また、図６のグラフ６１２は、ＷｉＭＡＸ方式における送信電力の経時的な変化を表している。グラフ６１１及びグラフ６１２は、いずれも縦軸を送信電力とし横軸を時間としている。
【００６６】
グラフ６１１及び６１２に示すように、本実施例に係る携帯電話装置は、最初はＣＤＭＡ方式の通信とＷｉＭＡＸ方式の通信とを並行して行っている。そして、タイミング６１３で、送信電力管理部３が、ＳＡＲ値の合計がＳＡＲ基準値を超えたと判定する。さらに、送信電力管理部３は、各通信方式の中で音声通話を行っている通信があるか否かを判定する。ここでは、ＣＤＭＡ方式が音声通話を行っているものとする。その場合、送信電力管理部３は、ＣＤＭＡ方式の通信がＷｉＭＡＸ方式の通信よりも長くなるように各通信方式に割り当てられた通信時間を繰り返す時分割通信を開始する。例えば、送信電力管理部３は、ＣＤＭＡ方式に対して時間Ｔ１を割り当て、ＷｉＭＡＸに対してＴ１＞Ｔ２となる時間Ｔ２を割り当てる。そして、送信電力管理部３は、時間Ｔ１の期間ＣＤＭＡ方式の通信を行い、時間Ｔ２の期間ＷｉＭＡＸ方式の通信を行う時分割通信を繰り返す。この場合、音声通話の中断がなければ、送信電力６１５〜６１７のように、時間Ｔ１の間隔を開けて、時間Ｔ２の期間送信電力がＷｉＭＡＸ方式の通信において発生する。そして、音声通話が途切れた場合、送信電力管理部３は、その音声通話が途切れている期間、ＷｉＭＡＸ方式の通信を行わせる。すなわち、期間６２０のように音声通話が途切れている期間がある場合には、その期間に対応してＷｉＭＡＸ方式の通信において送信電力６１８が発生する。その後、音声通話が再開された後、ＣＤＭＡ方式に割り当てられた時間Ｔ１が経過すると、送信電力管理部３は、ＷｉＭＡＸ方式の通信を再開させる。すなわち、ＷｉＭＡＸ方式の通信では、送信電力６１９が発生する。ここで、図６に示すように、時分割通信の間は、ＣＤＭＡ方式の通信とＷｉＭＡＸ方式の通信とが重ならない。また、期間６２０では音声通話が途絶えているため、送信電力は発生しない。そのため、期間６２０の間にＷｉＭＡＸ方式の通信を行なっても、各通信方式の送信電力による電磁波の重畳は起こらない。そのため、ＣＤＭＡ方式の通信によるＳＡＲ値とＷｉＭＡＸ方式の通信によるＳＡＲ値との合計は、ＳＡＲ基準値内に収まる。
【００６７】
さらに、時分割通信を行っている間、送信電力管理部３は、通信が中断している側の送信電力の予想値に対応するＳＡＲ値及び通信を行っている側の通信方式の送信電力に対応するＳＡＲ値の合計、すなわちＳＡＲ値の合計の予想値を算出する。そして、送信電力管理部３は、ＳＡＲ値の合計の予想値がＳＡＲ基準値を超えると、時分割通信を解除する。ここでは、ＷｉＭＡＸ方式において送信電力６１９が発生した時点で、ＳＡＲ値の合計の予想値がＳＡＲ基準値を下回ったとする。この場合、送信電力管理部３は、タイミング６１４で時分割通信を解除してＣＤＭＡ方式とＷｉＭＡＸ方式との通信を並行して行うようにプロトコル制御部２１４及び２２４に指示する。タイミング６１４では、既にＣＤＭＡ方式の通信での送信電力が低くなっているので、ＳＡＲ値の合計は、ＳＡＲ基準値以下となっている。この場合、期間６２１が時分割通信を行なっている期間となる。
【００６８】
このような送信電力管理部３による通信の制御によって、音声通話に対して長い時間が割り当てられた時分割通信が行え、異なる通信方式の通信による送信電力の重畳を回避することができる。また、音声通話の割り当て時間を長くし、他の通信の割り当て時間を短くしているので、音声通話の途切れを少なくすることができ、円滑な音声通話を提供することができる。また、音声通話が途切れて送信電力が必要ないときに、他の通信方式による通信を行うことができ、異なる通信方式の通信による送信電力の重畳を回避しながら、なるべく早く音声通話以外の通信を完了させることができる。
【００６９】
（変形例１）
次に、実施例２の変形例１について説明する。本変形例は、即時性が必要な通信か否かにより時分割通信において割り当てる時間の長さを変えるものである。ここで、即時性が要求される通信とは、一連のデータを連続して利用者に提供していく通信のことを指す。即時性が要求される通信は、データの送受信を連続して行うことが好ましいため、なるべく長い時間通信を行うと共に、途切れる時間を短くすることが好ましいからである。即時性が要求される通信とは、例えば、ＩＰＴＶ（Internet  Protocol  TeleVision）を提供する通信などである。ＩＰＴＶの場合、一連の動画が送られてくるので、通信の中断が多く発生してしまうと動画が途切れ途切れになってしまい、利用者にとって不都合である。そのため、ＩＰＴＶを提供する通信には即時性が要求される。
【００７０】
送信電力管理部３は、各通信方式の送信電力を送信電力検出部２１３及び２２３から取得する。そして、送信電力管理部３は、取得した送信電力からＳＡＲ値を求めた後、ＳＡＲ値の合計を算出する。送信電力管理部３は、ＳＡＲ値の合計がＳＡＲ基準値以内か否かを判定する。
【００７１】
ＳＡＲ値の合計がＳＡＲ基準値を超えている場合、送信電力管理部３は、各通信方式において行なわれている通信を利用しているアプリケーションの情報をプロトコル制御部２１４及び２２４から取得する。送信電力管理部３は、どのアプリケーションが即時性を要求する通信を用いるかの情報を予め記憶している。そして、送信電力管理部３は、プロトコル制御部２１４又は２２４において、即時性を要求する通信が行なわれているか否かを判定する。
【００７２】
そして、即時性が要求される通信が行われている場合、送信電力管理部３は、即時性が要求される通信を行っている通信方式の時分割通信における割り当て時間が、他の通信方式の割り当て時間より長くなるように、各通信方式の通信のタイミングを決定する。例えば、ＣＤＭＡ方式を用いてＩＰＴＶを提供しており、ＷｉＭＡＸ方式では即時性が要求される通信以外の通信を行なっている場合、送信電力管理部３は、ＣＤＭＡ方式の通信の割り当て時間をＷｉＭＡＸ方式の通信の割り当て時間よりも長くする。以下では、ＣＤＭＡ方式の通信によりＩＰＴＶが提供されている場合で説明する。
【００７３】
送信電力管理部３は、決定したタイミングで各通信方式による通信が行われるように、通信の中断及び再開の指示をプロトコル制御部２１４及び２２４に対して通知する。これにより、無線制御部１１及び１２、ＣＤＭＡシステム制御部２１、並びにＷｉＭＡＸシステム制御部２２は、ＩＰＴＶを提供する通信の割り当て時間を長くした時分割通信を行うことになる。
【００７４】
この後、送信電力管理部３は、即時性が要求される通信の割り当て時間を長くした時分割通信を行っている場合の予め決められたＳＡＲ検出周期で、ＳＡＲ値の合計の予想値がＳＡＲ基準値以内か否かを判定する。そして、ＳＡＲ値の合計の予想値がＳＡＲ基準値以内であれば、送信電力管理部３は、時分割通信を解除する。
【００７５】
次に、図７を参照して、本実施例に係る携帯電話装置における時分割通信時における送信電力の変化について説明する。図７は、変形例１における時分割通信を行う場合の送信電力の変化を説明するための図である。図７のグラフ６３１は、ＣＤＭＡ方式における送信電力の経時的な変化を表している。また、図７のグラフ６３２は、ＷｉＭＡＸ方式における送信電力の経時的な変化を表している。グラフ６３１及びグラフ６３２は、いずれも縦軸を送信電力とし横軸を時間としている。
【００７６】
グラフ６３１及び６３２に示すように、本実施例に係る携帯電話装置は、最初はＣＤＭＡ方式の通信とＷｉＭＡＸ方式の通信とを並行して行っている。そして、タイミング６３３で、送信電力管理部３が、ＳＡＲ値の合計がＳＡＲ基準値を超えたと判定する。さらに、送信電力管理部３は、各通信方式の中で即時性が要求される通信を行っている通信があるか否かを判定する。ここでは、ＣＤＭＡ方式がＩＰＴＶを提供する通信を行っているものとする。その場合、送信電力管理部３は、ＣＤＭＡ方式の通信がＷｉＭＡＸ方式の通信よりも長くなるように各通信方式に割り当てられた通信時間を繰り返す時分割通信を開始する。例えば、送信電力管理部３は、ＣＤＭＡ方式に対して時間Ｔ３を割り当て、ＷｉＭＡＸに対してＴ３＞Ｔ４となる時間Ｔ４を割り当てる。そして、送信電力管理部３は、時間Ｔ４の期間ＣＤＭＡ方式の通信を行い、時間Ｔ３の期間ＷｉＭＡＸ方式の通信を行う時分割通信を繰り返す。図７に示すように、時分割通信の間は、ＣＤＭＡ方式の通信とＷｉＭＡＸ方式の通信とが重ならない。そのため、ＣＤＭＡ方式の通信によるＳＡＲ値とＷｉＭＡＸ方式の通信によるＳＡＲ値との合計は、ＳＡＲ基準値内に収まる。
【００７７】
さらに、時分割通信を行っている間、送信電力管理部３は、通信が中断している側の送信電力の予想値に対応するＳＡＲ値及び通信を行っている側の通信方式の送信電力に対応するＳＡＲ値の合計、すなわちＳＡＲ値の合計の予想値を算出する。そして、送信電力管理部３は、ＳＡＲ値の合計の予想値がＳＡＲ基準値を超えると、時分割通信を解除する。ここでは、ＷｉＭＡＸ方式において送信電力６３５が発生した時点で、ＳＡＲ値の合計の予想値がＳＡＲ基準値を下回ったとする。この場合、送信電力管理部３は、タイミング６３４で時分割通信を解除してＣＤＭＡ方式とＷｉＭＡＸ方式との通信を並行して行うようにプロトコル制御部２１４及び２２４に指示する。タイミング６３４では、既にＣＤＭＡ方式の通信での送信電力が低くなっているので、ＳＡＲ値の合計は、ＳＡＲ基準値以下となっている。この場合、期間６３６が時分割通信を行なっている期間となる。
【００７８】
このような送信電力管理部３による通信の制御によって、即時性が要求される通信に対して長い時間が割り当てられた時分割通信が行え、異なる通信方式の通信による送信電力の重畳を回避することができる。また、即時性が要求される通信の割り当て時間を長くし、他の通信の割り当て時間を短くしているので、即時性が要求される通信の途切れを少なくすることができ、利用者の要求する即時性を確保することができる。
【００７９】
（変形例２）
次に、実施例２の変形例２について説明する。本変形例は、電波環境により時分割通信において割り当てる時間の長さを変えるものである。弱い送信電力でデータの送信が行える場合には、電波環境が良いと考えられる。
【００８０】
送信電力管理部３は、各通信方式の送信電力を送信電力検出部２１３及び２２３から取得する。そして、送信電力管理部３は、取得した送信電力からＳＡＲ値を求めた後、ＳＡＲ値の合計を算出する。送信電力管理部３は、ＳＡＲ値の合計がＳＡＲ基準値以内か否かを判定する。
【００８１】
ＳＡＲ値の合計がＳＡＲ基準値を超えている場合、送信電力管理部３は、取得した送信電力を用いて、各通信方式において行なわれている通信の中で送信電力が最も小さい通信を特定する。
【００８２】
そして、送信電力管理部３は、実行されている通信の中で送信電力が最も小さい通信を行っている通信方式の時分割通信における割り当て時間が、他の通信方式の割り当て時間より長くなるように、各通信方式の通信のタイミングを決定する。例えば、ＣＤＭＡ方式の通信の送信電力が最も小さい場合、送信電力管理部３は、ＣＤＭＡ方式の通信の割り当て時間をＷｉＭＡＸ方式の通信の割り当て時間よりも長くする。以下では、ＣＤＭＡ方式の通信の送信電力が最も小さい場合で説明する。
【００８３】
送信電力管理部３は、決定したタイミングで各通信方式による通信が行われるように、通信の中断及び再開の指示をプロトコル制御部２１４及び２２４に対して通知する。これにより、無線制御部１１及び１２、ＣＤＭＡシステム制御部２１、並びにＷｉＭＡＸシステム制御部２２は、送信電力が最も小さい通信の割り当て時間を長くした時分割通信を行うことになる。
【００８４】
この後、送信電力管理部３は、送信電力が最も小さい通信の割り当て時間を長くした時分割通信を行っている場合の予め決められたＳＡＲ検出周期で、ＳＡＲ値の合計の予想値がＳＡＲ基準値以内か否かを判定する。そして、ＳＡＲ値の合計の予想値がＳＡＲ基準値以内であれば、送信電力管理部３は、時分割通信を解除する。
【００８５】
次に、図８を参照して、本実施例に係る携帯電話装置における時分割通信時における送信電力の変化について説明する。図８は、変形例２における時分割通信を行う場合の送信電力の変化を説明するための図である。図８のグラフ６４１は、ＣＤＭＡ方式における送信電力の経時的な変化を表している。また、図８のグラフ６４２は、ＷｉＭＡＸ方式における送信電力の経時的な変化を表している。グラフ６４１及びグラフ６４２は、いずれも縦軸を送信電力とし横軸を時間としている。
【００８６】
グラフ６４１及び６４２に示すように、本実施例に係る携帯電話装置は、最初はＣＤＭＡ方式の通信とＷｉＭＡＸ方式の通信とを並行して行っている。そして、タイミング６４３で、送信電力管理部３が、ＳＡＲ値の合計がＳＡＲ基準値を超えたと判定する。さらに、送信電力管理部３は、各通信方式の中で送信電力が最も小さい通信を行っている通信方式を特定する。ここでは、ＣＤＭＡ方式の通信の送信電力が最も小さいものとする。その場合、送信電力管理部３は、ＣＤＭＡ方式の通信がＷｉＭＡＸ方式の通信よりも長くなるように各通信方式に割り当てられた通信時間を繰り返す時分割通信を開始する。例えば、送信電力管理部３は、ＣＤＭＡ方式に対して時間Ｔ５を割り当て、ＷｉＭＡＸに対してＴ５＞Ｔ６となる時間Ｔ６を割り当てる。そして、送信電力管理部３は、時間Ｔ５の期間ＣＤＭＡ方式の通信を行い、時間Ｔ６の期間ＷｉＭＡＸ方式の通信を行う時分割通信を繰り返す。図８に示すように、時分割通信の間は、ＣＤＭＡ方式の通信とＷｉＭＡＸ方式の通信とが重ならない。そのため、ＣＤＭＡ方式の通信によるＳＡＲ値とＷｉＭＡＸ方式の通信によるＳＡＲ値との合計は、ＳＡＲ基準値内に収まる。
【００８７】
さらに、時分割通信を行っている間、送信電力管理部３は、通信が中断している側の送信電力の予想値に対応するＳＡＲ値及び通信を行っている側の通信方式の送信電力に対応するＳＡＲ値の合計、すなわちＳＡＲ値の合計の予想値を算出する。そして、送信電力管理部３は、ＳＡＲ値の合計の予想値がＳＡＲ基準値を超えると、時分割通信を解除する。ここでは、ＣＤＭＡ方式において送信電力６４５が発生した時点で、ＳＡＲ値の合計の予想値がＳＡＲ基準値を下回ったとする。この場合、送信電力管理部３は、タイミング６４４で時分割通信を解除してＣＤＭＡ方式とＷｉＭＡＸ方式との通信を並行して行うようにプロトコル制御部２１４及び２２４に指示する。タイミング６４４では、既にＣＤＭＡ方式の通信での送信電力が低くなっているので、ＳＡＲ値の合計は、ＳＡＲ基準値以下となっている。この場合、期間６４６が時分割通信を行なっている期間となる。
【００８８】
このような送信電力管理部３による通信の制御によって、送信電力が他に比べて低い通信に対して長い時間が割り当てられた時分割通信が行え、異なる通信方式の通信による送信電力の重畳を回避することができる。また、送信電力が低い、すなわち電波環境が良い通信の割り当て時間を長くし、他の通信の割り当て時間を短くしているので、再送などの可能性が低く通信が迅速に終わることが予想される電波環境が良い通信を早期に終了させることができる。
【００８９】
さらに、以上に説明した、音声通話であるか、即時性が要求される通信であるか又は電波環境が良好かによる判断を用いた時分割通信における割り当て時間の制御を組み合わせて用いることもできる。そこで、図９を参照して、それらを組み合わせた場合の時分割通信における割り当て時間の制御について説明する。図９は、時分割通信における割り当て時間の制御を組み合わせた場合の処理の一例を示すフローチャートである。ここでは、上述した３つの判断基準を組み合わせているが、それらの中の２つを組み合わせても良いし、割り当て時間を決定する他の基準を組み合わせてもよい。
【００９０】
送信電力管理部３は、各通信方式における送信電力からＳＡＲ値を求めた後、ＳＡＲ値の合計がＳＡＲ基準値以内か否かを判定する（ステップＳ２０１）。ＳＡＲ値の合計がＳＡＲ基準値以内の場合（ステップＳ２０１：肯定）、送信電力管理部３は、実施中の複数の通信方式の並行した通信を継続する（ステップＳ２０２）。
【００９１】
これに対して、ＳＡＲ値の合計がＳＡＲ基準値を超えている場合（ステップＳ２０１：否定）、送信電力管理部３は、実施している通信の中に音声通話があるか否かを判定する（ステップＳ２０３）、音声通話がある場合（ステップＳ２０３：肯定）、送信電力管理部３は、音声通話を行っている通信方式に対する割り当て時間を長くした時分割通信を開始する（ステップＳ２０４）。
【００９２】
これに対して、音声通話がない場合（ステップＳ２０３：否定）、送信電力管理部３は、実施している通信の中に即時性が要求される通信があるか否かを判定する（ステップＳ２０５）、即時性が要求される通信がある場合（ステップＳ２０５：肯定）、送信電力管理部３は、即時性が要求される通信を行っている通信方式に対する割り当て時間を長くした時分割通信を開始する（ステップＳ２０６）。
【００９３】
これに対して、即時性が要求される通信がない場合（ステップＳ２０５：否定）、送信電力管理部３は、実施している通信の中で送信電力が最も小さい通信を特定する。そして、送信電力管理部３は、送信電力が最も小さい、すなわち電波環境が最もよい通信を行っている通信方式に対する割り当て時間を長くした時分割通信を開始する（ステップＳ２０７）。
【００９４】
その後、送信電力管理部３は、自己のタイマを再スタートし（ステップＳ２０８）、それぞれの時分割通信に対応するＳＡＲ検出周期をタイマでカウントして、ＳＡＲ検出のタイミングでＳＡＲ値の合計の予想値がＳＡＲ基準値以内か否かの判定を繰り返す。
【００９５】
このように、時分割通信における割り当て時間の決定において複数の基準を用いることで、より実施している通信方式に適した時分割通信を実行することができる。
【００９６】
さらに、以上に説明した各実施例では、ＣＤＭＡ方式及びＷｉＭＡＸ方式の２種類の通信方式を用いる場合について説明したが、使用する通信方式はＬＴＥなど他の通信方式でもよく、さらに３種類以上の通信方式による通信を並行して行う場合でもよい。
【００９７】
また、ＳＡＲ基準値を固定値として説明したが、ＳＡＲ基準値は変更可能でも良い。その場合、例えば、操作者によってユーザインタフェース５を用いてＳＡＲ基準値が入力されることでＳＡＲ基準値が変更される。この場合、操作者が所望の数値を入力しても良いし、予め決められた値の中から選ぶようにしてもよい。また、携帯電話装置の製造元などが作成したＳＡＲ基準値を設定するためのファイルを送信電力管理部３などに保持させておき、そのファイルを送信電力管理部３に読み出させることで、ＳＡＲ基準値を設定してもよい。この場合、携帯電話装置が稼働中でも、例えば、有線通信、無線通信及び記憶デバイス（メモリカードなど）を利用して基準値の設定が容易に行なえるようにしておくことが好ましい。
【００９８】
（ハードウェア構成）
次に、図１０を参照して、以上の各実施例において説明した携帯電話のハードウェア構成について説明する。図１０は、携帯電話装置のハードウェア構成図である。
【００９９】
各実施例に係る携帯電話は、ＣＰＵ（Central  Processing  Unit）１００１、ＲＡＭ（Random  Access  Memory）１００２、ＲＯＭ（Read  Only  Memory）１００３、ＷｉＭＡＸ用無線部１００４及びＣＤＭＡ用無線部１００５を有している。さらに、各実施例に係る携帯電話は、ディスプレイ１００６、キー１００７、マイク１００８及びスピーカ１００９を有している。
【０１００】
ＲＡＭ１００２、ＲＯＭ１００３、ＷｉＭＡＸ用無線部１００４、ＣＤＭＡ用無線部１００５、ディスプレイ１００６、キー１００７、マイク１００８及びスピーカ１００９は、それぞれバスを介してＣＰＵ１００１と接続されている。
【０１０１】
ＷｉＭＡＸ用無線部１００４は、アンテナを介してＷｉＭＡＸ方式の通信を行う。ＷｉＭＡＸ用無線部１００４は、例えば図１に示した無線制御部１２の機能を実現する。ＣＤＭＡ用無線部１００５は、アンテナを介してＣＤＭＡ方式の通信を行う。ＣＤＭＡ用無線部１００５は、例えば図１に示した無線制御部１１の機能を実現する。
【０１０２】
ディスプレイ１００６は、液晶画面などである。また、キー１００７は、キーパッドや他の操作ボタンなどである。そして、ディスプレイ１００６、キー１００７、マイク１００８及びスピーカ１００９は、図１に示したユーザインタフェース５の機能を実現する。
【０１０３】
ＣＰＵ１００１、ＲＡＭ１００２及びＲＯＭ１００３は、例えば、図１に示した、ＣＤＭＡシステム制御部２１、ＷｉＭＡＸシステム制御部２２及びアプリケーション実行部４の機能を実現する。
【０１０４】
ＲＡＭ１００２は、例えば、ＳＡＲ基準値、送信電力及びＳＡＲの相関情報、並びに各種アプリケーションなどを記憶する。
【０１０５】
ＲＯＭ１００３は、例えば、図１に示したＣＤＭＡシステム制御部２１、ＷｉＭＡＸシステム制御部２２及びアプリケーション実行部４の機能を実現する各種プログラムを記憶している。そして、ＣＰＵ１００１は、これら各種プログラムをＲＯＭ１００３から読み出し、上述した機能を実現するプロセスを生成して実行する。
【符号の説明】
【０１０６】
３  送信電力管理部
４  アプリケーション実行部
５  ユーザインタフェース
１１、１２  無線制御部
２１  ＣＤＭＡシステム制御部
２２  ＷｉＭＡＸシステム制御部
２１１、２２１  モデム部
２１３、２２３  送信電力検出部
２１４、２２４  プロトコル制御部
【図１】
2013143575.tif 000003
【図２】
2013143575.tif 000004
【図３】
2013143575.tif 000005
【図４】
2013143575.tif 000006
【図５】
2013143575.tif 000007
【図６】
2013143575.tif 000008
【図７】
2013143575.tif 000009
【図８】
2013143575.tif 000010
【図９】
2013143575.tif 000011
【図１０】
2013143575.tif 000012